(57)【要約】【課題】自分の所在地から近い自動車販売店から優先的に自動車の選定を行うのに適した自動車情報誌およびその製造方法の提供。【解決手段】南九州の三県の自動車販売店を、地区ごととして都道府県ごとにグループ化し、各グループに属する自動車販売店のページを熊本県グループ２、鹿児島県グループ３、宮崎県グループ４として綴ったものであり、各自動車情報誌１ａ，１ｂ，１ｃの販売地区に属するグループの自動車販売店のページを前方に綴る。例えば、熊本県版の自動車情報誌１ａは、この自動車情報誌１ａの販売地区（熊本県）に属するグループ（熊本県グループ２）の自動車販売店のページを前方（表紙側）に綴り、その後方（裏表紙側）には、この自動車情報誌１ａの販売地区（熊本県）に近い順に、鹿児島県グループ３、宮崎県グループ４を綴る。【選択図】  図１
2005297281.tif 000002
【特許請求の範囲】
【請求項１】
地区ごとに自動車販売店をグループ化して綴った自動車情報誌において、
当該自動車情報誌の販売地区に属するグループの自動車販売店のページを前方に綴ったことを特徴とする自動車情報誌。
【請求項２】
複数のグループの自動車販売店のページを当該自動車情報誌の販売地区に近い順に綴ったことを特徴とする請求項１記載の自動車情報誌。
【請求項３】
前記グループ化は、都道府県ごとに行ったものである請求項１または２に記載の自動車情報誌。
【請求項４】
地区ごとに自動車販売店をグループ化して綴った自動車情報誌の製造方法であって、
地区ごとに印刷されたページのグループを順に並べる工程と、
この並べられたページを順に重ねる工程と、
このページを重ねる工程を一旦停止して前記並べられたグループの順序を当該自動車情報誌の販売地区に属するグループの販売店のページを前方に並べ替える工程と
を含む自動車情報誌の製造方法。
【発明の詳細な説明】
【技術分野】
【０００１】
本発明は、自動車の新車、中古車の販売に関する情報を掲載した自動車情報誌およびその製造方法に関する。
【背景技術】
【０００２】
自動車の新車、中古車の情報を掲載した情報誌において、自動車の購入者が情報誌を見やすく利用しやすいように、その編集方法についてさまざまな方法が考えられている。たとえば中古自動車に関する情報を掲載する形式として、広告依頼者である自動車販売店ごとに頁を区分けし、その頁に当該自動車販売店名欄と、その自動車販売店で販売されている種々の自動車の写真欄と、その自動車の諸元欄などを掲載する形式や、車名ごとに価格欄、年式欄、グレード欄、色欄、車検、頁欄などで構成した車名別インデックスを設け、そのインデックスの頁欄で当該車名の写真や諸元が掲載された頁を検索する形式がある。
【０００３】
また、特許文献１には、１枚の頁内に複数個の枠を縦横に設け、各枠内に自動車の写真掲載欄と、その自動車の価格、諸元、販売店を掲載した欄を設け、同一車名の自動車を一群として掲載する形式の自動車情報誌が記載されている。
【０００４】
このような情報誌を参考にして購入する自動車を選定する場合、購入者がどのような順序で最終的に購入する自動車を選定するかについて、いくつかのパターンが考えられる。ひとつのパターンは、まず、旧知あるいは近隣の販売店で購入することにし、次にその自動車販売店で販売されている自動車のなかから希望の車種または車名を探し、自動車の諸元や価格を条件に購入車を選定するケースである。この場合は、前者の情報掲載形式が適しているといえる。
【０００５】
別のパターンは、購入する車名がすでに内定しており、その車名のなかから諸元や価格の条件が合致した自動車を選定し、その自動車が販売されている販売店情報を参考にするというケースである。この場合は、後者の情報掲載形式が適しているといえる。
【０００６】
しかし、上記二つの掲載形式は、他の自動車販売店における同種の自動車と比較するため、あるいは、インデックスの頁欄から該当に掲載されている自動車の写真を見るために、各頁をめくり返しながら比較しなければならないという不便さがある。特許文献１に記載の掲載形式はこの点を改良したものであり、同一車名の自動車が連続して一群として掲載されていることにより、そこに掲載された同一車名の多数の写真を同一頁内で対比し、かつ各写真の自動車の必要情報を同一頁内で対比的に見ることができ、希望の自動車の選択が容易に行え、販売店への問い合わせが楽に行えるという利点がある。
【０００７】
ところで、購入する自動車を選定するさらに別のパターンとして、まず自動車の車種を決め、そのなかから自動車の諸元や価格を条件に購入する車種を選定するパターンがある。自動車の車種とは、たとえばファミリー用、アウトドアレジャー用などの用途別、セダン、ワゴンなどの外形別、その他のジャンル別に区分したものを指す。このような選定パターンの場合は、上記いずれの掲載形式の情報誌も、同じ車種の自動車が同じ頁にまとまって掲載されていないので、購入する自動車を選定するのに使い勝手が良くない。
【０００８】
そこで、本発明者は、まず自動車の車種を決め、そのなかから購入する自動車を選定するのに適した掲載形式の自動車情報誌を提供することを目的として、特許文献２に記載の自動車情報誌を考案している。特許文献２に記載の自動車情報誌では、一冊の情報誌の主要掲載情報を自動車の車種別掲載群と自動車関連商品掲載群と販売店掲載群に区分して掲載しているため、同じ車種の自動車がまとまって掲載され、しかも同一メーカーの自動車を一群として車名ごとに順次掲載されていて一覧性があるので、自動車の購入者がまず自動車の車種を決め、そのなかから自動車の諸元や価格を条件に購入する車種を選定する際に、購入する自動車を選定するのに極めて使い勝手が良い。
【０００９】
ところで、自動車の購入者は、上記のように自動車情報誌を参考にして購入する自動車を選定した後、実際にその自動車販売店を訪問して現車確認を行うのが通常である。情報誌に掲載されている写真からは見て取れない自動車の状態や、自動車が情報誌に記載の通りの諸元であるかどうか等を確認するためである。そのため、自動車情報誌は、自動車販売店をその所在地の地区ごとにグループ分けして掲載している。
【００１０】
このような自動車情報誌は、通常の雑誌と同様、印刷工場でいくつかの地区ごとにまとめて印刷され、製本される。印刷工場では、製本するすべてのページが印刷された後、グループごとに一纏まりとなるように順に並べられ、重ねられていく。そして最後に、糸、針金、接着剤等で綴じて表紙を付けることにより製本される。製本された自動車情報誌は、各地区の書店やコンビニエンスストア等に一斉に配布され、販売される。
【００１１】
【特許文献１】実用新案登録第３０５８９７３号公報
【特許文献２】実用新案登録第３０７３９６０号公報
【発明の開示】
【発明が解決しようとする課題】
【００１２】
前述のように、自動車の購入者は、自動車情報誌を参考にして購入する自動車を選定した後、実際にその自動車販売店を訪問して現車確認を行う。そのため、自動車の購入者は、自分の所在地から最も近い地区の自動車販売店から優先的に自動車の選定を行おうとする。
【００１３】
ところが、従来の自動車情報誌は、前述のように、印刷工場でいくつかの地区ごとにまとめて印刷され、製本されるので、自分の所在地に属する地区の自動車販売店が自動車情報誌のどの部分に掲載されているのか分からない。そのため、誤って自分の所在地に属しない地区のページの自動車販売店から購入希望の自動車を選定してしまうと、再度自分の所在地に属する地区のページから選定し直さなければならなくなる。
【００１４】
そこで、本発明は、自分の所在地から近い自動車販売店から優先的に自動車の選定を行うのに適した自動車情報誌およびその製造方法を提供することを目的とする。
【課題を解決するための手段】
【００１５】
本発明の自動車情報誌は、地区ごとに自動車販売店をグループ化して綴った自動車情報誌において、当該自動車情報誌の販売地区に属するグループの自動車販売店のページを前方に綴ったことを特徴とする。本発明の自動車情報誌によれば、各販売地区において販売される自動車情報誌は、それぞれの販売地区に属するグループの自動車販売店のページが前方に配置された状態のものとなる。
【００１６】
ここで、複数のグループの自動車販売店のページを当該自動車情報誌の販売地区に近い順に綴ったものとすれば、各販売地区において販売される自動車情報誌は、その前方に配置されたそれぞれの販売地区に属する自動車販売店のページの次に、その販売地区に近い順に自動車販売店のページが配置された状態のものとなる。
【００１７】
なお、グループ化は、実際の自動車販売店を訪問することを前提とする関係上、都道府県ごとに行うことが望ましいが、地区面積や自動車情報誌に掲載する自動車販売店の店舗数によって適宜、市区町村ごとに行ったり、その他任意範囲ごとに行ったりすることが可能である。
【００１８】
上記本発明の自動車情報誌は、地区ごとに印刷されたページのグループを順に並べる工程と、この並べられたページを順に重ねる工程と、このページを重ねる工程を一旦停止して並べられたグループの順序を当該自動車情報誌の販売地区に属するグループの販売店のページを前方に並べ替える工程とを含む製造方法により効率良く製造することができる。
【発明の効果】
【００１９】
（１）自動車情報誌の販売地区に属するグループの自動車販売店のページを前方に綴ったことにより、自動車情報誌の購読者は、自分の所在地が属する地区でこの自動車情報誌を購入すれば、必ず自分の所在地に属する地区の自動車販売店のグループのページが前方に配置されているので、この自動車情報誌の前方の部分から自動車の選定を行うことで、誤って自分の所在地に属しない地区の自動車販売店から選定を行うことなく、自分の所在地から近い自動車販売店から優先的に自動車の選定を行うことが可能となる。
【００２０】
（２）複数のグループの自動車販売店のページを当該自動車情報誌の販売地区に近い順に綴ったものとすることにより、各販売地区において販売される自動車情報誌は、その前方から販売地区に近い順に自動車販売店のグループのページが配置されているので、自分の所在地に属する地区の自動車販売店のグループのページから所望の自動車が見つからない場合、その後方に販売地区に近い順に配置されている自動車販売店のページによって、自分の所在地から近い自動車販売店から優先的に自動車の選定を行うことが可能となる。
【００２１】
（３）地区ごとに印刷されたページのグループを順に並べる工程と、この並べられたページを順に重ねる工程と、このページを重ねる工程を一旦停止して並べられたグループの順序を当該自動車情報誌の販売地区に属するグループの販売店のページを前方に並べ替える工程とを含む製造方法により、自動車情報誌の販売地区に属するグループの自動車販売店のページを前方に綴った自動車情報誌を効率良く製造することができる。
【発明を実施するための最良の形態】
【００２２】
図１は本発明の実施の形態における自動車情報誌を小口側からみたページ構成を示す説明図であって、（ａ）は熊本県版を示す図、（ｂ）は鹿児島県版を示す図、（ｃ）は宮崎県版を示す図である。
【００２３】
図１（ａ）〜（ｃ）に示すように、本発明の実施の形態における自動車情報誌１ａ，１ｂ，１ｃは、南九州の三県の自動車販売店を、地区ごととして都道府県ごとにグループ化し、各グループに属する自動車販売店のページを熊本県グループ２、鹿児島県グループ３、宮崎県グループ４として綴ったものである。なお、熊本県グループ２、鹿児島県グループ３、宮崎県グループ４の各グループの小口部分は、それぞれ色分けされている。
【００２４】
但し、図１（ａ）に示すように、熊本県版の自動車情報誌１ａは、この自動車情報誌１ａの販売地区（熊本県）に属するグループ（熊本県グループ２）の自動車販売店のページを前方（表紙側（図１の左側））に綴り、その後方（裏表紙側（図１の右側））には、この自動車情報誌１ａの販売地区（熊本県）に近い順に、鹿児島県グループ３、宮崎県グループ４を綴ったものである。
【００２５】
同様に、図１（ｂ）に示すように、鹿児島県版の自動車情報誌１ｂは、この自動車情報誌１ｂの販売地区（鹿児島県）に属するグループ（鹿児島県グループ３）の自動車販売店のページを前方（表紙側（図１の左側））に綴り、その後方（裏表紙側（図１の右側））には、この自動車情報誌１ｂの販売地区（鹿児島県）に近い順に、宮崎県グループ４、熊本県グループ２を綴ったものである。
【００２６】
また、図１（ｃ）に示すように、宮崎県版の自動車情報誌１ｃは、この自動車情報誌１ｃの販売地区（宮崎県）に属するグループ（宮崎県グループ４）の自動車販売店のページを前方（表紙側（図１の左側））に綴り、その後方（裏表紙側（図１の右側））には、この自動車情報誌１ｃの販売地区（宮崎県）に近い順に、鹿児島県グループ３、熊本県グループ２を綴ったものである。
【００２７】
なお、本自動車情報誌１ａ〜１ｃは、熊本県グループ２、鹿児島県グループ３、宮崎県グループ４の各グループの他、自動車の車種別掲載グループ、自動車関連商品グループや販売店掲載グループ、特集記事グループや、地図グループ等のその他のグループ５，６が含まれてもよいことはもちろんである。
【００２８】
図２は図１の自動車情報誌のある１ページを示している。図２に示すように、熊本県グループ２、鹿児島県グループ３、宮崎県グループ４の各グループの各ページ１０には、その角部１１に、熊本県グループ２、鹿児島県グループ３、宮崎県グループ４の各グループを示すグループ表示帯部１２と、熊本県グループ２、鹿児島県グループ３、宮崎県グループ４の各グループ別の通しページ数表示部１３とが設けられている。
【００２９】
また、図示していないが、この自動車情報誌１ａ〜１ｃの目次部分には、車種別の目次が表示されており、各車種の車名、価格、登録年、仕様、色、トランスミッション形式、備品、走行距離、車検等の各情報の他、その自動車販売店の属するグループ（熊本県グループ２、鹿児島県グループ３、宮崎県グループ４のいずれか）と、その各グループ別の通しページ数とが表示されている。
【００３０】
上記構成の自動車情報誌１ａ〜１ｃによれば、その購読者は、自分の所在地が属する地区で販売されている自動車情報誌１ａ〜１ｃのいずれかを購入すれば、必ず自分の所在地に属する地区の自動車販売店のグループのページが前方に配置されているので、この自動車情報誌１ａ〜１ｃの前方の部分から自動車の選定を行うことで、誤って自分の所在地に属しない地区の自動車販売店から選定を行うことなく、自分の所在地から近い自動車販売店から優先的に自動車の選定を行うことが可能である。
【００３１】
また、各販売地区において販売される自動車情報誌１ａ〜１ｃは、その前方から販売地区に近い順に自動車販売店のグループのページが配置されているので、自分の所在地に属する地区の自動車販売店のグループのページから所望の自動車が見つからない場合、その後方に販売地区に近い順に配置されている自動車販売店のページによって、自分の所在地から近い自動車販売店から優先的に自動車の選定を行うことが可能である。
【００３２】
ここで、本実施形態における自動車情報誌１ａ〜１ｃの製造工程について説明する。図３は本実施形態における自動車情報誌の製造工程を示す説明図であって、（ａ）は熊本県版の製造工程を示す図、（ｂ）は鹿児島県版の製造工程を示す図、（ｃ）は宮崎県版の製造工程を示す図である。
【００３３】
図３（ａ）に示すように、熊本県版の自動車情報誌１ａを製造する場合、印刷された熊本県グループ２、鹿児島県グループ３、宮崎県グループ４の各グループを、図１（ａ）において示した重ね順（この熊本県版の自動車情報誌１ａの販売地区（熊本県）に属するグループ（熊本県グループ２）の自動車販売店のページを前方に、その後方にこの自動車情報誌１ａの販売地区（熊本県）に近い順）に並べる。なお、このとき、その他のグループ５，６も適宜並べておく。そして、この並べられた各グループのページを順に（図示例では右から順に）重ねていき、次の製本工程（糸、針金、接着剤等で綴じて表紙を付ける工程）へと流していく。
【００３４】
次に、鹿児島県版の自動車情報誌１ｂを製造する場合、上記ページを重ねる工程を一旦停止して、図３（ａ）に示すように並べられたグループの順序を、図１（ｂ）において示した重ね順（この鹿児島県版の自動車情報誌１ｂの販売地区（鹿児島県）に属するグループ（鹿児島県グループ３）の自動車販売店のページを前方に、その後方にこの自動車情報誌１ｂの販売地区（鹿児島県）に近い順）に並べ替える。そして、この並べられた各グループのページを順に重ねていき、次の製本工程へと流していく。
【００３５】
さらに、宮崎版の自動車情報誌１ｃを製造する場合、上記ページを重ねる工程を一旦停止して、図３（ｂ）に示すように並べられたグループの順序を、図１（ｃ）において示した重ね順（この宮崎県版の自動車情報誌１ｃの販売地区（宮崎県）に属するグループ（宮崎県グループ４）の自動車販売店のページを前方に、その後方にこの自動車情報誌１ｃの販売地区（宮崎県）に近い順）に並べ替える。そして、この並べられた各グループのページを順に重ねていき、次の製本工程へと流していく。
【００３６】
こうすることで、本実施形態における自動車情報誌１ａ〜１ｃのように、各自動車情報誌１ａ〜１ｃのそれぞれの販売地区に属するグループの自動車販売店のページを前方に綴った自動車情報誌を効率良く製造することができる。
【００３７】
また、上記構成の自動車情報誌１ａ〜１ｃでは、熊本県グループ２、鹿児島県グループ３、宮崎県グループ４の各グループのページを重ねる工程の途中で、各グループの順序を入れ替えて製本するため、ページ順がばらばらになるが、自動車情報誌１ａ〜１ｃの目次部分には、販売される各自動車の自動車販売店の属するグループと、その各グループ別の通しページ数とが表示されているので、この目次部分から各グループのページへアクセスする場合も特に問題なく容易にアクセスすることが可能である。
【産業上の利用可能性】
【００３８】
本発明の自動車情報誌は、自動車の新車、中古車の販売に関する情報を掲載した雑誌として有用であり、特に、自分の所在地から近い自動車販売店から優先的に自動車の選定を行うのに適した自動車情報誌として好適である。
【図面の簡単な説明】
【００３９】
【図１】本発明の実施の形態における自動車情報誌を小口側からみたページ構成を示す説明図であって、（ａ）は熊本県版を示す図、（ｂ）は鹿児島県版を示す図、（ｃ）は宮崎県版を示す図である。
【図２】図１の自動車情報誌のある１ページを示す図である。
【図３】は本実施形態における自動車情報誌の製造工程を示す説明図であって、（ａ）は熊本県版の製造工程を示す図、（ｂ）は鹿児島県版の製造工程を示す図、（ｃ）は宮崎県版の製造工程を示す図である。
【符号の説明】
【００４０】
１ａ  熊本県版の自動車情報誌
１ｂ  鹿児島県版の自動車情報誌
１ｃ  宮崎県版の自動車情報誌
２  熊本県グループ
３  鹿児島県グループ
４  宮崎県グループ
５，６  その他のグループ
１０  ページ
１１  角部
１２  グループ表示帯部
１３  通しページ数表示部
【図１】
2005297281.tif 000003
【図２】
2005297281.tif 000004
【図３】
2005297281.tif 000005